【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
橋梁の橋軸方向に隣接する橋脚の間の径間内において上部工部材を上下方向に運搬することができる上部工部材運搬設備であって、
前記橋梁の橋軸方向に隣接する前記橋脚それぞれに上下方向に取り付けられていて、前記橋梁の橋軸直角方向から見て前記径間内に位置している上下方向レールと、
前記上下方向レールそれぞれに取り付けられていて、自身が取り付けられた前記上下方向レールに沿って移動可能な昇降装置と、
を備え、
前記上部工部材を支持しつつ上下方向に運搬することができる数の前記昇降装置を備えることを特徴とする上部工部材運搬設備。
【請求項２】
前記昇降装置は、伸縮可能なジャッキと、前記ジャッキの両端部にそれぞれ取り付けられたクランプ装置と、を備え、前記クランプ装置によって前記上下方向レールに取り付けられており、前記クランプ装置は、前記上下方向レールへの固定とその固定の解除を繰り返し行うことができることを特徴とする請求項１に記載の上部工部材運搬設備。
【請求項３】
前記上部工部材運搬設備は、前記上部工部材の端部を下方から支持することができる、前記橋梁の橋軸直角方向に延びる上部工部材受け用橋軸直角方向部材を、前記上部工部材の両端部の下方にそれぞれ備えており、
前記上下方向レールは、前記橋梁の橋軸方向に隣接する前記橋脚それぞれについて、前記橋梁の橋軸直角方向に間隔を開けて複数配置されており、
前記橋梁の橋軸直角方向に間隔を開けて複数配置された前記上下方向レールそれぞれに前記昇降装置が取り付けられており、前記上下方向レールにそれぞれ取り付けられた前記昇降装置は前記上部工部材受け用橋軸直角方向部材を下方から支持することを特徴とする請求項１または２に記載の上部工部材運搬設備。
【請求項４】
前記上下方向レールは、該上下方向レールと略同一の方向に延びるレール保持用上下方向部材に取り付けられており、該レール保持用上下方向部材を介して前記橋脚に取り付けられていることを特徴とする請求項１〜３のいずれかに記載の上部工部材運搬設備。
【請求項５】
前記上下方向レールが受ける鉛直方向下向きの荷重の少なくとも一部は、当該上下方向レールが取り付けられた前記橋脚を介さずに地盤に伝達され、
かつ、前記上下方向レールから該上下方向レールが取り付けられた前記橋脚に伝達される荷重は、前記橋脚の安全性が確保される範囲内の荷重であることを特徴とする請求項１〜４のいずれかに記載の上部工部材運搬設備。
【請求項６】
前記上下方向レールが受ける鉛直方向下向きの荷重の少なくとも一部は、当該上下方向レールが取り付けられた前記橋脚を支持するフーチングの上面に伝達されて地盤に伝達されることを特徴とする請求項５に記載の上部工部材運搬設備。
【請求項７】
前記上部工部材運搬設備は、上方から見て、運搬する前記上部工部材の端部に対して略橋軸直角方向の位置および運搬する前記上部工部材の端部と重なる位置のうちの少なくとも一方の位置に、後打ち杭を備えており、
前記上下方向レールが受ける鉛直方向下向きの荷重の少なくとも一部は、前記後打ち杭を介して地盤に伝達されることを特徴とする請求項５または６に記載の上部工部材運搬設備。
【請求項８】
前記上部工部材運搬設備は、上方から見て、運搬する前記上部工部材の端部に対して略橋軸直角方向の位置および運搬する前記上部工部材の端部と重なる位置のうちの少なくとも一方の位置に、地盤に敷かれた敷き鋼板を備えており、
前記上下方向レールが受ける鉛直方向下向きの荷重の少なくとも一部は、前記敷き鋼板を介して地盤に伝達されることを特徴とする請求項５〜７のいずれかに記載の上部工部材運搬設備。
【請求項９】
前記上下方向レール同士の間を前記橋梁の橋軸直角方向に架け渡して連結する橋軸直角方向連結部材をさらに備えることを特徴とする請求項１〜８のいずれかに記載の上部工部材運搬設備。
【請求項１０】
前記橋脚において前記径間とは前記橋梁の橋軸方向反対側に、橋軸直角方向に延びる反対側橋軸直角方向連結部材が配置され、かつ、前記橋脚の前記橋軸直角方向の側方に橋軸方向に延びる橋軸方向連結部材が配置されていて、前記橋軸直角方向連結部材、前記反対側橋軸直角方向連結部材および前記橋軸方向連結部材は、前記橋脚の周囲を一周巻き込むようにして該橋脚に取り付けられていることを特徴とする請求項９に記載の上部工部材運搬設備。
【請求項１１】
さらに、前記橋脚それぞれにおいて、前記径間とは前記橋梁の橋軸方向反対側にも、上下方向に延びる反対側上下方向レールが取り付けられていて、該反対側上下方向レールそれぞれに、該反対側上下方向レールに沿って移動可能な昇降装置が取り付けられていることを特徴とする請求項１０に記載の上部工部材運搬設備。
【請求項１２】
前記上部工部材の下方に、前記上部工部材を載置する架台が設けられており、該架台の高さは地表面から１ｍ以上３ｍ以下であることを特徴とする請求項１〜１１のいずれかに記載の上部工部材運搬設備。
【請求項１３】
橋梁の橋軸方向に隣接する橋脚の間の径間内において上部工部材を上下方向に運搬する上部工部材運搬方法であって、
前記上部工部材を、請求項１〜１２のいずれかに記載の上部工部材運搬設備で支持する支持工程と、
前記上部工部材運搬設備で支持した前記上部工部材を、前記上部工部材運搬設備で上下方向に運搬する運搬工程と、
を備えることを特徴とする上部工部材運搬方法。
【請求項１４】
前記支持工程では、前記径間内の所定の領域の既設上部工部材を前記上部工部材運搬設備で支持する請求項１３に記載の上部工部材運搬方法であって、
前記上部工部材運搬設備で支持した前記所定の領域の既設上部工部材を前記橋梁から切
り離す切り離し工程を備え、
前記運搬工程は、前記切り離し工程で切り離された前記既設上部工部材を、前記上部工部材運搬設備で下降させる下降工程であることを特徴とする上部工部材運搬方法。
【請求項１５】
前記下降工程で下降させた前記既設上部工部材を、前記上部工部材運搬設備から搬出する搬出工程と、
前記搬出工程の後、前記上部工部材運搬設備に前記新設上部工部材を載置する新設上部工部材載置工程と、
前記新設上部工部材載置工程で前記上部工部材運搬設備に載置した前記新設上部工部材を、前記上部工部材運搬設備で上昇させる上昇工程と、
前記上昇工程で上昇させた前記新設上部工部材を前記橋梁に連結する連結工程と、
を備えることを特徴とする請求項１４に記載の上部工部材運搬方法。
【請求項１６】
前記上部工部材運搬設備は請求項１２に記載の上部工部材運搬設備であり、
前記下降工程は、前記切り離し工程で切り離された前記既設上部工部材を、前記上部工部材運搬設備で下降させて前記架台に載置する下降載置工程であることを特徴とする請求項１４または１５に記載の上部工部材運搬方法。
【請求項１７】
前記下降載置工程で前記架台に載置した前記既設上部工部材を、解体してから搬出することを特徴とする請求項１６に記載の上部工部材運搬方法。
【請求項１８】
前記上部工部材運搬設備は請求項１２に記載の上部工部材運搬設備であり、
前記新設上部工部材載置工程では、前記新設上部工部材を前記架台上に組み立てて、前記上部工部材運搬設備に載置することを特徴とする請求項１５に記載の上部工部材運搬方法。
【手続補正２】
【補正対象書類名】明細書
【補正対象項目名】発明の名称
【補正方法】変更
【補正の内容】
【発明の名称】上部工部材運搬設備および上部工部材運搬方法
【手続補正３】
【補正対象書類名】明細書
【補正対象項目名】０００１
【補正方法】変更
【補正の内容】
【０００１】
本発明は、上部工部材運搬設備および上部工部材運搬方法に関し、詳細には、橋脚に上下方向に取り付けられたレールに沿って移動可能な昇降装置を用いる上部工部材運搬設備および上部工部材運搬方法に関する。
【手続補正４】
【補正対象書類名】明細書
【補正対象項目名】０００６
【補正方法】変更
【補正の内容】
【０００６】
本発明は、かかる点に鑑みてなされたものであり、地上高が高い高架橋を対象とする場合であっても、重機の小型化、ベント設備の簡素化、上部工部材の撤去・架設作業の効率化を図ることができる上部工部材運搬設備および上部工部材運搬方法を提供することを課題とする。
【手続補正５】
【補正対象書類名】明細書
【補正対象項目名】００４８
【補正方法】変更
【補正の内容】
【００４８】
本発明によれば、地上高が高い高架橋を対象とする場合であっても、重機の小型化、ベント設備の簡素化、上部工部材の撤去・架設作業の効率化を図ることができる。